【手続補正書】
【提出日】平成24年12月14日(2012.12.14)
【手続補正１】
【補正対象書類名】特許請求の範囲
【補正対象項目名】全文
【補正方法】変更
【補正の内容】
【特許請求の範囲】
【請求項１】
開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置するとともに、前記コード領域の空き部分にデータを表さない埋め草コードを配置してなる二次元コードを印刷するプリンタであって、
秘匿するデータを表すコード語としてコード化された秘匿データコードを前記埋め草コードの一部または全部に代えて前記終端識別コードの後に配置してなる二次元コードを印刷することを特徴とするプリンタ。
【請求項２】
開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置するとともに、前記コード領域の空き部分にデータを表さない埋め草コードを配置してなる二次元コードを表示する表示装置であって、
秘匿するデータを表すコード語としてコード化された秘匿データコードを前記埋め草コードの一部または全部に代えて前記終端識別コードの後に配置してなる二次元コードを表示することを特徴とする表示装置。
【請求項３】
開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置するとともに、前記コード領域の空き部分にデータを表さない埋め草コードを配置してなる二次元コードを生成し、印刷又は表示するシステムであって、
秘匿するデータを表すコード語としてコード化された秘匿データコードを前記埋め草コードの一部または全部に代えて前記終端識別コードの後に配置してなる二次元コードを生成し、印刷又は表示することを特徴とするシステム。
【請求項４】
開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを印刷するプリンタであって、
秘匿するデータを表すコード語としてコード化された秘匿データコードを、前記終端識別コードの後、または前記終端識別情報により特定される前記終端位置の後、に配置してなる二次元コードを印刷することを特徴とするプリンタ。
【請求項５】
開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを表示する表示装置であって、
秘匿するデータを表すコード語としてコード化された秘匿データコードを、前記終端識別コードの後、または前記終端識別情報により特定される前記終端位置の後、に配置してなる二次元コードを表示することを特徴とする表示装置。
【請求項６】
開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを生成し、印刷又は表示するシステムであって、
秘匿するデータを表すコード語としてコード化された秘匿データコードを、前記終端識別コードの後、または前記終端識別情報により特定される前記終端位置の後、に配置してなる二次元コードを生成し、印刷又は表示することを特徴とするシステム。
【請求項７】
開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを印刷するプリンタであって、
秘匿するデータを表すコード語としてコード化された秘匿データコードに所定の加工を施して、前記終端識別コードの後、または前記終端識別情報により特定される前記終端位置の後、に配置してなる二次元コードを印刷することを特徴とするプリンタ。
【請求項８】
開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを表示する表示装置であって、
秘匿するデータを表すコード語としてコード化された秘匿データコードに所定の加工を施して、前記終端識別コードの後、または前記終端識別情報により特定される前記終端位置の後、に配置してなる二次元コードを表示することを特徴とする表示装置。
【請求項９】
開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを生成し、印刷又は表示するシステムであって、
秘匿するデータを表すコード語としてコード化された秘匿データコードに所定の加工を施して、前記終端識別コードの後、または前記終端識別情報により特定される前記終端位置の後、に配置してなる二次元コードを生成し、印刷又は表示することを特徴とするシステム。
【手続補正２】
【補正対象書類名】明細書
【補正対象項目名】００１１
【補正方法】変更
【補正の内容】
【００１１】
第３の発明は、開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置するとともに、前記コード領域の空き部分にデータを表さない埋め草コードを配置してなる二次元コードを生成し、印刷又は表示するシステムであって、
秘匿するデータを表すコード語としてコード化された秘匿データコードを前記埋め草コードの一部または全部に代えて前記終端識別コードの後に配置してなる二次元コードを生成し、印刷又は表示することを特徴とする。
第４の発明は、開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを印刷するプリンタであって、秘匿するデータを表すコード語としてコード化された秘匿データコードを、前記終端識別コードの後、または前記終端識別情報により特定される前記終端位置の後、に配置してなる二次元コードを印刷することを特徴とする。
第５の発明は、開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを表示する表示装置であって、秘匿するデータを表すコード語としてコード化された秘匿データコードを、前記終端識別コードの後、または前記終端識別情報により特定される前記終端位置の後、に配置してなる二次元コードを表示することを特徴とする。
第６の発明は、開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを生成し、印刷又は表示するシステムであって、秘匿するデータを表すコード語としてコード化された秘匿データコードを、前記終端識別コードの後、または前記終端識別情報により特定される前記終端位置の後、に配置してなる二次元コードを生成し、印刷又は表示することを特徴とする。
第７の発明は、開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを印刷するプリンタであって、秘匿するデータを表すコード語としてコード化された秘匿データコードに所定の加工を施して、前記終端識別コードの後、または前記終端識別情報により特定される前記終端位置の後、に配置してなる二次元コードを印刷することを特徴とする。
第８の発明は、開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを表示する表示装置であって、秘匿するデータを表すコード語としてコード化された秘匿データコードに所定の加工を施して、前記終端識別コードの後、または前記終端識別情報により特定される前記終端位置の後、に配置してなる二次元コードを表示することを特徴とする。
第９の発明は、開示するデータを表すコード語としてコード化された開示データコードの総数が、コード語を配置すべきコード領域に収容可能な容量に満たない場合、前記コード領域に配置された前記開示データコードがなすコード列の終端を示す終端識別コードをこのコード列の最後に配置、または前記開示データコードがなすコード列の終端位置を特定可能な終端識別情報をこのコード列の所定の位置に配置する二次元コードを生成し、印刷又は表示するシステムであって、秘匿するデータを表すコード語としてコード化された秘匿データコードに所定の加工を施して、前記終端識別コードの後、または前記終端識別情報により特定される前記終端位置の後、に配置してなる二次元コードを生成し、印刷又は表示することを特徴とする。